(57)【要約】【課題】手軽に買い物を運べる自転車の前側荷籠に保温性（断熱性）を付与する。【解決手段】断熱材からなる四角箱状の容器本体１とその蓋１２とからなる断熱容器１０であり、自転車の前側に、そのランプ掛け１、籠受け横杆２ａでもって取付ける。この断熱容器１０内は、仕切り壁により区画され、その区画された空間に、温かい物と冷たい物を分けて収納する。このとき、冷やし部屋の蓋内面には保冷剤を着脱自在に設けるとよい。これにより、食べ物の温度が維持されて美味しく食することができる。この断熱容器１０は、自転車通学・通勤時の弁当の保温、ピクニック等の弁当保温に有効である。また、買い物の途中に、喫茶店などで長話をしても、買い物食品の温度変化による劣化もない。【選択図】図１
2005306164.tif 000002
【特許請求の範囲】
【請求項１】
容器本体１１とその容器本体１１に開閉自在に取付けた蓋１２とからなり、その容器本体１１と蓋１２は断熱材からなる自転車の前側荷籠用断熱容器。
【請求項２】
上記容器本体１１に断熱材からなる仕切り壁２１を着脱自在に設けたことを特徴とする請求項１に記載の自転車の前側荷籠用断熱容器。
【請求項３】
容器本体１１と蓋１２の当接面には、その全周に亘って相互に嵌り込む溝２５又は突条２３、２４を形成したことを特徴とする請求項1又は２に記載の自転車の前側荷籠用断熱容器。
【請求項４】
上記蓋１２の内面に保冷剤３０を着脱自在に設けたことを特徴とする請求項1乃至３のいずれかに記載の自転車の前側荷籠用断熱容器。
【請求項５】
請求項１乃至４のいずれかに記載の荷籠用断熱容器１０において、容器本体１１の背面に自転車のランプ掛け１が下方から嵌る係止穴１５を設け、容器本体１１の底面に自転車の籠受け２の横杆２ａが下方から嵌る係止穴１６を設けて、その両係止穴１５、１６に前記ランプ掛け１及び横杆２ａを嵌めることにより、自転車に取付けられる自転車の前側荷籠用断熱容器。
【請求項６】
上記容器本体１１の底面に、その底面の係止穴１６を覆ったり、退去する係止片１８を設け、この係止片１８により、上記籠受け２の横杆２ａが嵌った係止穴１６を覆うことにより、その横杆２ａの係止穴１６からの抜け出しを阻止するようにしたことを特徴とする請求項５に記載の自転車の前側荷籠用断熱容器。
【請求項７】
上記ランプ掛け１が嵌る係止穴１５の外壁１５ａに金属片１７を挿入して補強をしたことを特徴とする請求項５又は６に記載の自転車の前側荷籠用断熱容器。
【発明の詳細な説明】
【技術分野】
【０００１】
この発明は、自転車の前側荷籠用の断熱容器に関するものである。
【背景技術】
【０００２】
自転車の前側荷籠は、通常、鉄線を網状に組んだものであり、食品の買出しにおいては、その中に、買った食品を入れて運ぶ。また、会社等に出かける場合には、その中に弁当等を入れて運ぶ。
【０００３】
その食品を運ぶ場合、その食品には、冷凍物・冷蔵物や加熱物等が混在し、それらを一つの荷籠に入れると、相互に放熱又は吸熱して、その冷えた状態又は温かい状態でなくなり、その食品の食感を損なうこととなる。今日、一回の購入食品量が多いため、その混在状態は激しくなっている。このため、通常、冷凍物・冷蔵物と加熱物は分けて、例えば、冷凍物・冷蔵物は、前側荷籠、加熱物は後側荷籠に入れるようにしている。
【０００４】
また、雨等から収納品を守るために、荷籠にナイロン製の袋を嵌めた技術もある（特許文献1参照）。この袋は、前側の荷籠内にすっぽり嵌めて使用する。
【特許文献１】特開２００２−１９３１６２号公報
【発明の開示】
【発明が解決しようとする課題】
【０００５】
今日、生活環境の向上により、人は、より美味しく食をすることに注意を注ぐようになり、冷凍物・冷蔵物と加熱物の混在は、その食品の品質を劣化させるため、できるだけ、離して運搬することを望むようになった。この傾向は、流通業者に限らず、一般の主婦等も同様である。
【０００６】
一方、主婦は、買い物の途中で、友人等と長く立ち話をしたり、又は喫茶店に入って長話をしたりする。このとき、自転車の荷籠に入れた買い物（食品）はそのままにされる場合が多い（図１６（ｄ）参照）。その場合、買い物（食品）は、長時間、混在されることとなり、冷凍物・冷蔵物と加熱物が混在すれば、その食品の品質を劣化させる。
【０００７】
また、今日、通勤、通学、ピクニック等において、弁当、ペットボトル等を自転車の荷籠にいれて運ぶ場合が多く、その場合、弁当等はできる限り、その弁当等に適した温度に保温して美味しく食したい（図１６（ａ）、（ｃ）参照）。
【０００８】
しかし、従来、自転車の前側荷籠は、網状であって、保温性（断熱性）はなく、また、上記公開公報記載の袋をその荷籠に嵌めても、その袋は、保温性を担保したものでないため、殆ど所要の保温状態を得ることはできない。
【０００９】
この発明は、手軽に運べる自転車の前側荷籠に保温性（断熱性）を付与することを課題とする。
【課題を解決するための手段】
【００１０】
上記課題を達成するために、この発明は、その荷籠そのものを断熱容器で構成することとしたのである。断熱容器であれば、例えば、その中に買い物食品を入れれば、その保温性（断熱性）でもって、その食品の温度、例えば、冷凍・冷蔵品であれば、低温を、加熱品であれば、温かさを、それぞれ維持する。
【発明の効果】
【００１１】
この発明は、自転車の前側荷籠そのものを断熱容器で構成したので、主婦等の買い物において、買った食品の鮮度を長く維持することができ、その食品を美味しく食することができる。
【発明を実施するための最良の形態】
【００１２】
この発明の実施形態としては、容器本体とその容器本体に開閉自在に取付けた蓋とからなり、その容器本体と蓋は断熱材からなる構成を採用する。その断熱材は、周知・公知のものを採用すればよく、例えば、ポリプロピレン（ＰＰ）、ポリエチレン（ＰＥ）等の殻内に、ポリウレタンフォームなどの発泡樹脂を充填した部材等を使用する。
【００１３】
この構成において、上記容器本体に断熱材からなる仕切り壁を着脱自在に設ければ、その壁によって、容器本体内が断熱性をもって仕切られるため、その仕切られた各部屋の一つに、アイスクリームなどの冷凍物等の冷えた食品を、他の部屋に、肉まん等の温かい食品を分けて収納しても、その食品の温度状態を保って支障なく収納できる。
また、上記蓋の内面に保冷剤を着脱自在に設ければ、保冷状態を確実に維持でき、さらに、容器本体と蓋の当接面には、その全周に亘って相互に嵌り込む溝又は突条を形成して、気密性を高めるとよい。
【００１４】
この断熱容器を自転車の前側荷籠とするためには、ねじ、溶接などの種々の締結手段を採用できるが、例えば、容器本体の背面に自転車のランプ掛けが下方から嵌る係止穴を設け、容器本体の底面に自転車の籠受けの横杆が下方から嵌る係止穴を設けて、その両係止穴にランプ掛け及び横杆を嵌める等の取付け態様を採用すれば、容器本体を着脱できて便利である。
【００１５】
この構成において、上記容器本体の底面に、その底面の係止穴を覆ったり、退去する係止片を設け、この係止片により、上記籠受けの横杆が嵌った係止穴を覆うことにより、その横杆の係止穴からの抜け出しを阻止するようにすれば、この断熱容器の自転車への取付状態が安定する。また、上記ランプ掛けが嵌る係止穴の外壁には金属片を挿入して補強をすることが好ましい。この係止穴にはその外壁を離す方向の力が作用するからである。
【実施例】
【００１６】
図１乃至図９に一実施例を示し、この実施例の断熱容器１０は、四角箱状の容器本体１１とその容器本体１１に開閉自在に取付けた蓋１２とからなり、その容器本体１１と蓋１２は、ＰＥ製殻１１ａ、１２ａ内にポリウレタンフームからなる発泡体１１ｃ、１２ｃを充填したものである。その蓋１２の容器本体１１への取付けは周知の蝶番機構１３を採用し、ロック機構は、スナップ・ロック（図１４参照）、面ファスナ、ホック等及び図示の樹脂の弾性力によるフック１４などによる。容器本体１１及び蓋１２の形状は、四角状に限らず、円状、多角状、卵状などと任意である。この容器本体１１の底面四隅には脚１１ｂが設けられている。
【００１７】
容器本体１１の前面に自転車Ｂのランプ掛け１が下方から嵌る係止穴１５が設けられ、容器本体１１の底面には自転車の籠受け２の横杆２ａが下方から嵌る係止穴１６が設けられている。容器本体１１の前面の係止穴１５の外壁１５ａには金属板１７をインサートしてその補強をすることが好ましい。
このとき、図示のように、金属片１７は断面コ字状にしてその両端及び上端に係止片１７ａをさらに設けて、その係止片１７ａを容器本体１１の前面にインサートするとさらによい。係止穴１５の外壁１５ａは金属片１７のみで形成することができる。金属片１７にランプ掛け１からビスをねじ込んでこの断熱容器１０を取付けることもできる。このとき、そのビスは蝶ねじ等の手で回しやすいものを採用するとよい。
【００１８】
容器本体１の底面の係止穴１６は、図５に示すように、容器本体１１の底面全長にあって、その両側にリブ１６ａが形成されて、その内側に係止片１８が回動自在に設けられており、図５（ｂ）に示すように、前記係止穴１６に自転車の籠受け２の横杆２ａを嵌めて、その係止片１８を同図（ａ）から同（ｂ）のように回動してその横杆２ａを覆って係止穴１６に係止する。このとき、係止片１８の回転軸部等にばねを介在して係止片１８が容器本体１１の底面に圧接して妄りに回動しないようにするとよい。また、係止片１８の裏面には、横杆２ａの嵌る溝１８ａを形成することもできる。さらに、容器本体１１の底面には、係止片１７のストッパ１９を設けて、横杆２ａの解放状態（図５（ａ））と係止状態（同図（ｂ））の位置決めをする。
【００１９】
容器本体１１内には、仕切り壁２１が設けられ、この壁２１は、容器本体１１内面の縦溝２２に抜き差し自在に嵌められて着脱自在となっている。この仕切り壁２１もＰＥ製の殻内にポリウレタンフォーム２１ｃを充填した断熱材からなるものである。この仕切り壁２１の数及び位置は任意である。
【００２０】
容器本体１１の開口部全周及び仕切り壁２１の上面に突条２３、２４が形成され、蓋１２の内面にはその突条２３、２４が嵌る溝２５が形成されており、この溝２５に突条２３、２４が嵌ることにより、気密性が維持される。また、蓋１２の内面全周には、容器本体１１の開口部内面全周に嵌る突条部２６が設けられて、気密性の向上が図られている。この容器本体１１の開口部と蓋１２の内面の間にはパッキングを設けることもできる。
【００２１】
蓋１２の内面中央部には凹部２７が形成されており、その凹部２７に保冷剤３０を着脱自在に設ける。その着脱自在の手段としては、ホックによる等の種々の手段を採用できるが、面ファスナによる手段が簡便である。容器本体１１の内部には食品トレー３１等を適宜に設ける。
【００２２】
この断熱容器１０は、自転車の前側から、ランプ掛け１を前面の係止穴１５を挿入し嵌め込んで籠受け２に載置して、底面の係止穴１６にその横杆２ａを嵌め、係止片１８で抜け止めして自転車の前側の荷籠として取付ける。
この取付状態で、例えば、買い物においては、図６〜図９に示すように、牛乳パック４１、１０００ｃｃボトル４２、卵パック４３、餃子パック、生鮮食料品等を適宜に収納する。その際、仕切り壁２１により仕切った部屋に、温かい食品と冷凍・冷蔵食品を分けて収納する。
【００２３】
この収納態様は、今までになかった自転車の前籠におけるものであるため、図１６（ｂ）に示すように、主婦等の買い物客の間で、人気となる。
また、同図（ｄ）に示すように、その帰宅途中に、喫茶店などに立ち寄って、長話をしても、食品（買い物品）は断熱容器１０に収納されているため、温度変化もなく、美味しい状態を維持できる。
【００２４】
さらに、図１６（ａ）に示すように、弁当を持って、自転車で通勤する場合には、この断熱容器１０に弁当を入れておけば、いつまでもその美味しさを維持できる。また、同図（ｃ）に示すように、自転車により、公園に行った時やピクニックに行った時などにおいて、この断熱容器１０（１０ａ）に弁当、飲み物などを収納しておけば、それらを美味しく食することができる。
【００２５】
この実施例の断熱容器１０において、図１０乃至図１５に示すように、紐５０を着脱自在に設けて、持ち運び時には、その紐５０により、持ち運ぶようにすることができる。このようにすれば、抱えて持ち運ぶ必要がなくなり、その持ち運びが容易となる。その紐５０は、図示のごとく手提げ用のみならず、肩掛け用等と自由に選択でき、その用途に合わせて長さを選択する。
【００２６】
その紐５０は、蓋１２の上面に形成した凹部５５に収納するようにする。その凹部５５は、補助蓋５６を設けて開閉自在とする。紐５０の両端には係止具５２を設け、この係止具５２を容器本体１１側面のフック穴５３に係止することにより、紐５０を容器本体１１に取付ける。
【００２７】
その取付けは、図１１の鎖線状態に示すように、係止具５２をその両側係止片５２ａを横向きでフック穴５３に嵌めて、同実線のように、上方に回すことにより、フック穴５３と係止具５２の係止片５２ａの一致をずらして抜け止め状態とする。この状態で、紐５０でもってこの断熱容器１０を持ち運ぶ。
自転車に取付けるなどにより、この紐５０が不要（邪魔）となれば、係止具５２を回しフック穴５３から外して図１３の鎖線に示すように蓋１２内の凹部５５に収納する。
【００２８】
なお、これらの断熱容器１０は、図１、図５（ｂ）の自転車への取付け状態から、係止片１８を同図（ａ）の状態に回し、その状態で上方に持ち上げることにより、係止穴１５からランプ掛け１を出して、自転車から外す。図１に示すように、自転車の後側上面、側面、上パイプ等にも、この断熱容器１０と同様な容器１０ａを設けることができる。
断熱容器１０の取付け態様は、図示のごとく、前側をハンドル側としても良いが、その逆とすることもできる。このとき、係止穴１５は容器本体１１の背面側に設けることとなる。
【図面の簡単な説明】
【００２９】
【図１】一実施例を自転車に取付けた状態図
【図２】同実施例の蓋を開けた斜視図
【図３】同自転車に取付けた状態の拡大図
【図４】（ａ）は同実施例の平面図、（ｂ）は同正面図、（ｃ）は同側面図
【図５】同実施例の底面図を示し、（ａ）は係止片の籠受け横杆への係止前、（ｂ）はその係止後
【図６】同実施例の一収納状態の切断平面図
【図７】同実施例の他の収納状態の切断正面図
【図８】同切断側面図
【図９】同実施例の他の収納状態の切断平面図
【図１０】他の実施例の斜視図
【図１１】同実施例の側面図
【図１２】同正面図
【図１３】同平面図
【図１４】同切断側面図
【図１５】同一部切欠き背面図
【図１６ａ】同実施例の使い方の一態様図
【図１６ｂ】同実施例の他の使い方の態様図
【図１６ｃ】同実施例の他の使い方の態様図
【図１６ｄ】同実施例の他の使い方の態様図
【符号の説明】
【００３０】
１  自転車のランプ掛け
２  自転車の籠受け
２ａ  自転車の籠受けの横杆
１０  断熱容器
１１  容器本体
１２  蓋
１３  蝶番
１４  フック
１５  ランプ掛け係止穴
１６  籠受け横杆係止穴
１８  係止片
２１  仕切り壁
２３、２４  嵌合突条
２５  嵌合溝
２６  嵌合突条部
３０  保冷剤
３１  食品トレー
４１  牛乳パック
４３  餃子パック
５０  紐
５２  係止具
５３  フック穴
５５  凹部
５６  補助蓋
Ｂ  自転車
【図１】
2005306164.tif 000003
【図２】
2005306164.tif 000004
【図３】
2005306164.tif 000005
【図４】
2005306164.tif 000006
【図５】
2005306164.tif 000007
【図６】
2005306164.tif 000008
【図７】
2005306164.tif 000009
【図８】
2005306164.tif 000010
【図９】
2005306164.tif 000011
【図１０】
2005306164.tif 000012
【図１１】
2005306164.tif 000013
【図１２】
2005306164.tif 000014
【図１３】
2005306164.tif 000015
【図１４】
2005306164.tif 000016
【図１５】
2005306164.tif 000017
【図１６ａ】
2005306164.tif 000018
【図１６ｂ】
2005306164.tif 000019
【図１６ｃ】
2005306164.tif 000020
【図１６ｄ】
2005306164.tif 000021